(57)【特許請求の範囲】
【請求項１】
第１の筐体と、
表示部を有する第２の筐体と、
前記第１の筐体と前記第２の筐体とを略同一平面上で回転させる接続機構部と、
前記第１の筐体に配置された第１のアンテナと、
前記第２の筐体に配置された第２のアンテナと、
前記第１のアンテナ及び前記第２のアンテナと接続するチューナまたは無線受信部と、
を有する携帯端末において、
前記チューナまたは前記無線受信部が前記第１のアンテナと前記第２のアンテナとを用いてコンテンツを受信し、前記表示部が前記コンテンツを表示するときに、前記第１の筐体と前記第２の筐体との相対的な回転により、前記第１のアンテナの長軸方向と前記第２のアンテナの長軸方向とが交差する第１の状態と、交差しない第２の状態とを切り替えられる
ことを特徴とする携帯端末。
【請求項２】
第１の筐体と、
表示部を有する第２の筐体と、
前記第１の筐体と前記第２の筐体とを接続する接続機構部と、
前記第１の筐体に配置された第１のアンテナと、
前記第２の筐体に配置された第２のアンテナと、
前記第１のアンテナ及び前記第２のアンテナと接続するチューナまたは無線受信部と、
を有する携帯端末において、
前記チューナまたは前記無線受信部が前記第１のアンテナと前記第２のアンテナとを用いてコンテンツを受信し、前記表示部が前記コンテンツを表示するときに、前記第２の筐体は前記第１の筐体に対して横長状態となる第１の状態と、縦長状態となる第２の状態とをとることができ、
前記第１の状態では前記第１のアンテナの長軸方向と前記第２のアンテナの長軸方向とが直交して配置され、前記第２の状態では前記第１のアンテナの長軸方向と前記第２のアンテナの長軸方向とが平行に配置される
ことを特徴とする携帯端末。
【請求項３】
前記表示部が前記第１の筐体に対して横長状態で配置されているときに、前記第１のアンテナの前記長軸方向と前記第２のアンテナの前記長軸方向とを略直交にする
ことを特徴とする請求項１または２に記載の携帯端末。
【請求項４】
前記第１の状態において、前記コンテンツの切替ダイバーシティ受信、合成ダイバーシティ受信、または選択性ダイバーシティ受信を行う
ことを特徴とする請求項１または２に記載の携帯端末。
【請求項５】
前記接続機構部は、前記第１の筐体の上端部と前記第２の筐体の下端部とを接続することを特徴とする請求項１から４までのいずれか１項に記載の携帯端末。
【請求項６】
前記第２の状態ではダイバーシティ受信を行わず、前記第１の状態では前記第１のアンテナと前記第２のアンテナとのダイバーシティ受信に切り替える受信切替部を有する
ことを特徴とする請求項１から５までのいずれか１項に記載の携帯端末。
【請求項７】
前記第１のアンテナ及び前記第２のアンテナは、少なくとも一方が筐体から引出し可能であることを特徴とする請求項１から６までのいずれか１項に記載の携帯端末。
【請求項８】
前記接続機構部は、
前記第２の筐体と前記接続機構部とを回転可能に接続する回転機構部と、
前記接続機構部と前記第１の筐体とを開閉可能に接続するヒンジ部と、
を有することを特徴とする請求項１から７までのいずれか１項に記載の携帯端末。
【請求項９】
さらに前記表示部におけるコンテンツ表示サイズを可変とする表示サイズ変更部を有し、前記第１の状態において、前記第２の状態のときより大きなコンテンツ表示サイズで前記コンテンツを表示させる
ことを特徴とする請求項１から８までのいずれか１項に記載の携帯端末。
【請求項１０】
前記第２の状態から前記第１の状態に変化する際に、前記第２の筐体が前記第１の筐体に対して非対称になるよう回転し、回転した結果、前記第１のアンテナと前記第２のアンテナとの距離が回転前より離れる
ことを特徴とする請求項１に記載の携帯端末。
【請求項１１】
請求項１から１０までのいずれか１項に記載の前記携帯端末が、デジタル放送受信機能付きの携帯電話機であることを特徴とする携帯端末。
【発明の詳細な説明】
【技術分野】
【０００１】
本発明は携帯端末に関し、特に携帯端末の通信品質を向上させる技術に関する。
【背景技術】
【０００２】
近年、テレビ（ＴＶ）機能付きの携帯電話が徐々に普及してきている。特に２００６年４月１日から始まった携帯電話向け地上デジタルＴＶ放送であるワンセグ（ワンセグメント）放送は、アナログ放送と比べて移動中の受信に強く映像も鮮明であるため、ユーザから大きな期待を寄せられている。
【０００３】
ＴＶ機能付きの携帯端末の多くは、２軸回転ヒンジ等により横長画面に表示した時に映像が見やすくなるように設計されている。搭載されるアンテナとしては、主に下筐体に配置されたホイップアンテナが採用されており、ＴＶ放送を視聴する際には、ホイップアンテナを引出して使用されている。
【０００４】
【特許文献１】特開２００５−２６０７０１号公報
【発明の開示】
【発明が解決しようとする課題】
【０００５】
動画やＴＶなどの映像データを携帯端末で受信する場合には、その情報量の多さから、より高品位な通信が必要とされている。また映像データは表示画面が大きい方が見やすく、迫力も増すため、多くのＴＶ機能付きの携帯電話では、横長表示にして映像データを大きく表示させて視聴できるように工夫された設計がなされている。一方で、表示画面が大きくなると、通信品質の劣化に伴う画質の劣化がより一層目立つようになるという問題が顕在化されるため、表示画面が大きくなればなるほど、より高品位な通信が必要となる。
【０００６】
通信品質を向上させるための手段の１つとして、イヤホンアンテナ等の比較的大型で良好なアンテナを外付けアンテナとして利用する方法が用いられている。しかしながら、イヤホンアンテナや外付けアンテナを使用する場合には、イヤホンや外付けアンテナを常に携帯しておく必要があること、特にイヤホンアンテナを使用する場合には、ケーブルの引回しによってアンテナ特性が大きく変動してしまう等の問題がある。
【０００７】
一方、通信品質を向上させるための別の手段として、ダイバーシティ受信技術が知られているが、上述のような映像データ等は主にＵＨＦ帯の低い帯域でサービスされるため、昨今の携帯電話機のような小型筐体内ではダイバーシティ用のサブアンテナとメインアンテナとの間の距離を十分に取ることが出来ず、空間ダイバーシティとしての効果や、アンテナ間相互結合による劣化が大きく良好なダイバーシティ効果が得られない。
【０００８】
また、下記特許文献１に記載の技術のように、上記の２点を組み合わせて、イヤホンアンテナと携帯電話に実装されたアンテナとでダイバーシティ受信を行う方法も提案されているが、前述のように、イヤホンを携帯する必要があり、引回しや使用方法によってイヤホンアンテナの特性が大きく変動するという問題が依然として残っている。
【０００９】
本発明はこのような課題に鑑みてなされたものであり、高い通信品質が求められる映像データを視聴する横長画面使用時において、より効率的となるダイバーシティアンテナの配置技術を提供することを目的とする。
【課題を解決するための手段】
【００１０】
本発明は、第１の筐体と、表示部を有する第２の筐体とを、第２の筐体の厚み方向と平行になるような回転軸を持つように回転可能な回転機構部とを有する携帯端末において、第１の筐体に配置された第１のアンテナと、第２の筐体に配置された第２のアンテナとを使用して表示部に表示するコンテンツのダイバーシティ受信を行い、第２の筐体を回転することにより第２のアンテナの長軸方向と前記第２のアンテナの長軸方向とが交差するように配置される状態で受信位置、特に、ＴＶなどのコンテンツ受信位置となることを特徴とする。特に、略直交するように配置するのが好ましい。
【００１１】
本発明の携帯端末を例えば手に持って、ＴＶ等の横長表示の映像データを視聴する際に、多くのユーザは、まず表示部に映像を大きく映し出すために、表示部を縦長表示の状態から例えばソフト的に９０度回転させ横長表示の状態にする。次に、表示部が実装されている第２の筐体を９０度回転させる。このとき、第２の筐体及び表示部の長辺方向は水平面とほぼ平行な状態になり、内蔵アンテナに流れる電流も水平面と平行になるため偏波はほぼ水平偏波になる。それとともに、ホイップアンテナに流れる電流の方向と内蔵アンテナに流れる電流の方向とが直交するため、それぞれのアンテナの偏波面も直交することになる。従って、前記第１及び第２の２つのアンテナによって偏波ダイバーシティの効果が得ることができる。
【００１２】
以上のように、本発明の携帯端末によれば、携帯端末の表示部を横長表示状態にしてＴＶ等の映像データを受信して視聴する場合において、より高品位な通信が可能となり、通信品質を改善することができる。
【００１３】
また、上記回転機構部が第１の筐体の上端部と第２の筐体の下端部とにそれぞれ接続されている構造を有する場合にも、第２の筐体を９０度回転させ、表示部を横長表示にした場合に同様な効果が得られる。また、このような形状の携帯電話機は、第２の筐体を１８０度回転させた時、携帯電話機の全長が長くなるため、送話部が口元に近くなり、送話部がユーザの声を認識しやすくなる。また第２の筐体を回転させない場合は、携帯電話機の全長が短くなるため、持ち運びしやすい。
【００１４】
上記第１のアンテナ及び第２のアンテナを、ホイップアンテナ等の引出し可能なアンテナにより構成させることによって、それぞれのアンテナ特性が向上し通信品質がさらに改善する。
【００１５】
また、本発明の他の観点によれば、第１の筐体と第３の筐体とを開閉可能に接続するヒンジ部と、表示部等を有する第２の筐体と前記第３の筐体とを該第２の筐体の厚み方向と平行になるような回転軸を持つように回動可能に接続する回転機構部とを有する携帯端末において、第１の筐体に配置された第１のアンテナと、第２の筐体に配置された第２のアンテナを使用して前記表示部に表示するコンテンツのダイバーシティ受信を行い、第２の筐体を回転することにより第１のアンテナの長軸方向と第２のアンテナの長軸方向とが略直交するように構成されることを特徴とする携帯端末が提供される。
【００１６】
この携帯端末に関しても、第２の筐体を９０度回転させて表示部を横長表示にした場合に、受信特性に関して同様の効果が得られる。また、ユーザが本携帯端末を机などに置いて見る場合には、ホイップアンテナと内蔵アンテナとがともに水平偏波となってしまい偏波ダイバーシティの効果は得られなくなるが、それぞれのアンテナに流れる電流が直交し、指向性が８の字状となるため、指向性ダイバーシティの効果を得ることができる。
【００１７】
以上のように、本携帯端末を横長表示にして映像データを受信、視聴する場合には、ユーザが手に持って見る時だけでなく、机などに置いて視聴する場合にも通信品質を改善することが可能である。
【００１８】
また上記第２の筐体の回転軸の位置が変動しても同様の効果が得られる。回転軸が動くことで９０度回転した時のヒンジ部と第２の筐体との距離を調整することができるため、筐体設計上の（デザイン）の幅が広がる。
【００１９】
また、上記第１のアンテナ及び第２のアンテナを、ホイップアンテナ等の引出し可能なアンテナにすることにより、それぞれのアンテナ特性が向上し通信品質がさらに改善する。
【００２０】
また本発明の別の観点によれば、第１の筐体と表示部等が設けられた第２の筐体とを開閉可能及び直交方向に回転可能に接続する少なくとも２つ以上の回転軸を有するヒンジ部とを有する携帯端末において、第１の筐体に配置された第１のアンテナと、第２の筐体に配置された第２のアンテナを使用して表示部に表示するコンテンツのダイバーシティ受信を行い、第２の筐体を回転することにより第１のアンテナの長軸方向と第２のアンテナの長軸方向とが略直交することを特徴とする携帯端末が提供される。
【００２１】
上記第１のアンテナ及び第２のアンテナはホイップアンテナなどの引出し可能なアンテナを使用することによってアンテナ自体の特性が改善し通信品質が改善する。
【発明の効果】
【００２２】
本発明の携帯端末によれば、携帯端末の状態によって空間ダイバーシティ、偏波ダイバーシティ或いは指向性ダイバーシティの少なくとも２種類のダイバーシティ効果を得ることができ、システムの受信感度を向上することができるという利点がある。
【発明を実施するための最良の形態】
【００２３】
ダイバーシティアンテナとは、２つの受信アンテナを使うアンテナのことを指し、例えば、偏波ダイバーシティ、空間ダイバーシティ、周波数ダイバーシティなどの様々なタイプが存在する。平野部ではテレビの電波は水平偏波と言う方法で送られるのが一般的であり、山間部では垂直偏波を用いることも多い。携帯端末や、車のように移動することで電波の状況が変化する用途では、フェージングによる影響が大きいためダイバーシティシステムを用いてできるだけ良好に受信しようとする。ダイバーシティシステムでは、複数（２本から４本程度）のアンテナエレメントを、それぞれ違った場所に配置する。例えば切替ダイバーシティや選択性ダイバーシティ等の場合は実際に受信に使用されているのは１本だけであり、それぞれの場所に一番適したエレメントを自動的に検出し切り替え、筐体などのボディーとの干渉を起こさないように、金属部とできるだけ離して用いるのが好ましい。またその他にも合成ダイバーシティなど様々な方式がある。
【００２４】
以下に、本発明の一実施の形態による携帯端末について、携帯電話機を例にして図面を参照しながら説明を行う。図１及び図２は、本発明の第１の実施の形態による携帯電話機を示す図である。図１（Ａ）は、携帯電話機を正面から見た図であり、図１（Ｂ）は携帯電話において液晶表示部１４（表示部：液晶は例示であり、有機ＥＬ、ＬＥＤなどに基づく表示も含まれる。）が配置された第２の筐体１１ｂを９０度回転させた時の様子を示す図であり、図２はダーバーシティ受信の詳細を示したブロック図である。
【００２５】
携帯電話機は、デジタルＴＶ/ラジオのチューナを備えており、さらに、操作部１２等を有する第１の筐体１１ａと、液晶表示部１４などを有する第２の筐体１１ｂと、が回転機構部１７によって接続されている。
【００２６】
また、図１（Ｂ）に示すように第２の筐体１１ｂは、回転機構部１７との接点を回転軸として第２の筐体１１ｂ自身の厚み方向と垂直となる平面上を少なくとも９０度以上回転可能である（矢印ＡＲ１参照）。さらに、携帯電話機は、第１の筐体１１ａの口元（マイクの近辺）にセルラー用アンテナ１８が配置されており、第１の筐体１１ａの上端部にＴＶ/ラジオ用のホイップ式（引出し式）のアンテナ１５が配置されており、第２の筐体１１ｂにＴＶ/ラジオ用のダイバーシティ受信用のアンテナ１６が液晶表示部１４の長辺方向と平行になるように配置されている。
【００２７】
ここで、ダイバーシティ受信用のアンテナ１６のアンテナ形式は、ダイポール形式のアンテナが採用されている。また図２に示すように、本実施の形態による携帯電話機は、制御部１９から切替部１１０に送信される制御信号によってアンテナ１５あるいはアンテナ１６と、ＴＶチューナ１１１の接続を切替えることによって切替ダイバーシティ受信を行っている（受信切替部）。携帯電話機を手に持ってＴＶを視聴する場合、ＴＶの映像は横長であるため、多くのユーザはより大きな画面で視聴するように、まず液晶表示部１４の画面表示を例えばソフト的に９０度回転させて縦長表示から横長表示に変更した後に（表示切り替え部）、図１（Ｂ）に示すように、第２の筐体１１ｂを例えば９０度回転させて使用することができる。
【００２８】
このとき、ダイバーシティ受信用のアンテナ１６とホイップ式のアンテナ１５とに流れる電流の方向は互いに直交しており、ダイバーシティ受信用のアンテナ１６はほぼ水平偏波、ホイップ式のアンテナ１５はほぼ垂直偏波となり、それぞれのアンテナの偏波が異なり、直交することから偏波ダイバーシティの効果が得られる。従って、本実施の形態による携帯電話機においては、携帯電話機における画面表示を横長表示にしてＴＶ視聴等を行う際に、良好な受信感度を得ることができ、通信品質をより向上させることができるという利点がある。また、第２の筐体１１ｂを回転させる場合ほどの大きな効果を得ることは期待できないが、第２の筐体１１ｂを回転させない時でも２つのアンテナ間で空間ダイバーシティの効果を得ることができる。
【００２９】
尚、本実施の形態では、ダイバーシティ受信として切替ダイバーシティを使用したが、合成ダイバーシティやＴＶチューナを２台使用して行う選択性ダイバーシティなどのその他の方式のダイバーシティ受信の形態をとっても良く、同様な効果を得ることができる。また、効果に関しては、セルラー用のアンテナ１８の配置場所には特に依存せず、同様の効果が得られる。また、コンテンツ視聴時に、２つのアンテナが略直交する状態になる例を示したが、必ずしも直交している必要はなく、交差するように配置されていれば、受信状態を向上させる効果が得られる。以下の実施の形態においても同様である。
【００３０】
次に、本発明の第２の実施の形態について図面を参照しながら説明を行う。図３Ａ（Ａ）〜（Ｃ）までは、本実施の形態による携帯電話機の様子を示す図であり、図３Ａ（Ａ）は携帯電話機を正面から見た図であり、図３Ａ（Ｂ）は携帯電話機において液晶表示部２４が配置された第２の筐体２１ｂを９０度回転させた様子（ＡＲ２）を示す図であり、図３Ａ（Ｃ）は携帯電話機において液晶表示部２４が配置された第２の筐体２１ｂを図３Ａ（Ａ）に示す基準位置から１８０度だけ回転させた様子を示す図である（ＡＲ３）。
【００３１】
本実施の形態による携帯電話機の構成は、上記第１の実施の形態と同様であるが、第１の実施の形態における回転機構部１７を設ける位置を変更し、第１の筐体２１ａの上端部と第２の筐体２１ｂの下端部との重なっている部分を回転機構部２７により接続した点が異なる。本実施の形態による効果は第１の実施の形態による効果と同様であるが、本実施の形態による携帯電話機の形状は、図３Ａ（Ｃ）に示すように第２の筐体２１ｂを１８０度回転させて第１の筐体２１ａの下端部と第２の筐体２１ｂの上端部とが重なるような状態にすることで、持ち運び時にコンパクト化できるように構成されているため、液晶表示部２４のサイズを大きくしても携帯電話機自体の最小形態における大きさが大きくなりすぎない点で優れている。
【００３２】
図３Ｂは、図３Ａとは異なるアンテナの配置例を示す図である符号等は同じものを付している。図３Ｂの配置は、液晶部２４を挟んで、内蔵アンテナ２６とホイップアンテナ２５との位置関係を逆転させている点である。このような配置でも、図３Ｂ（Ｂ）のようにした場合に２つのアンテナの電流の流れる方向が直交しているため２つのアンテナ間の干渉を小さくできる点で優れた配置である。尚、図３Ａ、図３Ｂのいずれにも言えることであるが、できるだけ２つのアンテナが離れるように配置したほうが良い。
【００３３】
次に、本発明の第３の実施の形態による携帯電話機について図面を参照しながら説明を行う。図４（Ａ）から（Ｃ）までは、本実施の形態による携帯電話機の構成を示す図であり、図４（Ａ）は携帯電話機を正面から見た図であり、図４（Ｂ）は携帯電話機において液晶表示部が配置された第２の筐体３１ｂを９０度回転させた時の様子を示す図であり、図４（Ｃ）は、携帯電話機を後方から見た様子を示す図である。また、図５（Ａ）は、携帯電話機を右側方から見た様子を示す図であり、図５（Ｂ）は第１の筐体３１ａと第２の筐体３１ｂとを閉じて、ホイップアンテナを収納した状態を右側方から見た図であり、図５（Ｃ）は第１の筐体３１ａの長手方向の水平線と第２の筐体３１ｂの長手方向の水平線が交わる角度が１２０度になるように携帯電話を開いた状態を右側方から見た様子を示す図である。
【００３４】
本実施の形態による携帯電話機は、デジタルＴＶ/ラジオチューナを搭載しており、さらに操作部３２等を有する第１の筐体３１ａと、液晶部３４等を有する第２の筐体３１ｂと、回転機構部３７等を有する第３の筐体３１ｃと、を有しており、第１の筐体３１ａと第３の筐体３１ｃとがヒンジ部３３において図５（Ｂ）に示すように開閉可能に接続されている。第２の筐体３１ｂと第３の筐体３１ｃとが回転機構部３７によって接続され、図４（Ｂ）に示すように第２の筐体３１ｂを少なくとも９０度回転することが可能である。
【００３５】
また、本実施の形態による携帯電話機は、ＴＶ/ラジオ受信用のホイップアンテナ３５を筐体３１ａのヒンジ部３３付近に有し、ダイバーシティ受信用の内蔵アンテナ３６を筐体３１ｂの内部において液晶表示部３４の長辺方向と平行になるように配置してある。また、内蔵アンテナ３６のアンテナ形式は、ダイポールアンテナを使用している。さらに、携帯電話機の第２の筐体３１ｂには、図示しない重力センサーが搭載されている。液晶表示部３４の表示内容は、液晶表示部３４の長辺方向が水平面と垂直に近い場合には縦長表示、逆に液晶表示部３４の長辺方向が水平面と平行に近い場合は横長表示となるように設定されている。
【００３６】
本発明の第１の実施の形態において説明したように、ＴＶの映像は横長が一般的であるため、大画面で視聴したい場合には、ユーザは、図４（Ｂ）のように第２の筐体３１ｂを９０度回転させる。すると、重力センサーによって液晶表示部３４の表示画面は自動的に横長表示となる。このとき、内蔵アンテナ３６とホイップアンテナ３５における電流の流れる方向が直交し、内蔵アンテナ３６はほぼ水平偏波、ホイップアンテナ３５はほぼ垂直偏波となるため、上記２つのアンテナ３５・３６においては、偏波ダイバーシティの効果を得ることができる。
【００３７】
また、携帯電話機は、机などに置いてＴＶ視聴をする形態も考えられるが、その場合に、液晶表示部３４の映像を見やすくするため、筐体３１ａと筐体３１ｂとの成す角を１２０度程度にして使用することが考えられる。このとき、内蔵アンテナ３６とホイップアンテナ３５とは、ともにほぼ水平偏波になるが、アンテナの電流の流れる向きが直交しそれぞれの指向性が８の字であることから、指向性ダイバーシティの効果を得ることができる。また、さほど大きな効果ではないが、筐体３１ｂを９０度回転させない場合にも、上記２つのアンテナ間には空間ダイバーティ効果がある。
【００３８】
以上のように、本実施の形態による携帯電話機では、第１の実施の形態の効果に加えて、机の上に置いてＴＶを視聴する場合に指向性ダイバーシティ効果を得るように構成することによって、その際の通信品質を改善することができるという利点がある。尚、この形態は、据え置きを主体として利用される携帯端末に適用するのがより好ましい。
【００３９】
次に、本発明の第４の実施の形態よる携帯電話機について図面を参照しながら説明を行う。図６Ａ（Ａ），（Ｂ）、図７（Ａ）〜（Ｃ）は、本実施の形態による携帯電話機を示す図であり、図６Ａ（Ａ）は携帯電話機を正面から見た図であり、図６Ａ（Ｂ）は図６Ａ（Ａ）の状態から第２の筐体４１ｂを９０度回転させた状態を示す図であり、図７（Ａ）から図７（Ｃ）までは、図６Ａ（Ａ）から図６Ａ（Ｂ）に移行する様子を背面から見た図である。
【００４０】
本実施の形態による携帯電話機の構成は、上記第３の実施の形態と同様であり、図６（Ａ）は図４（Ａ）に対応する。第３の実施の形態との違いは、第３の実施の形態における回転機構部３７を下記に示すように変更したことによって第２の筐体４１ｂの回転軸を移動可能にした点が異なる。すなわち、図７（Ａ）に示すように、第２の筐体４１ｂの回転軸（ＡＲ８、ＡＲ９のように回転する）となる回転中心点に接続部４７ｂが設けられており、第３の筐体４１ｃに設けられたスリット４７ａにより上記接続部４７ｂと第３の筐体４１ｃとの接点はスリット４７ａ上を図７（Ｂ）、（Ｃ）に示す上下の矢印の方向に沿って移動可能に接続されている。尚、符号４１ｃは第３の筐体である。
【００４１】
本実施の形態における効果は第３の実施の形態における効果と同様であるが、上記のような工夫を移動機構に加えることによって、第２の筐体４１ｂを９０度回転させた時に、ヒンジ部４３と第２の筐体４１ｂとの間隔を調整すること、特に小さくすることができるため、さらに第２の筐体４１ｂ上にある接続部４７ｂの位置を調整することによって、第２の筐体４１ｂが９０度回転した時に左右の対称、非対称を自由に調整することができる、携帯電話のデザインの幅が広がる。
【００４２】
図６Ｂは図６Ａに対応する図であり、図６Ｂ（Ｂ）に示すように、第２の筐体４１ｂを９０度回転させた場合に、第１の筐体４１ａに対して左右が非対称、特に内蔵アンテナ４６とホイップアンテナ４５との距離が離れるようになるように左右非対称に構成している。このようにすると、互いのアンテナ特性が改善する。
【００４３】
次に、本発明の第５の実施の形態よる携帯電話機について図面を参照しながら説明を行う。図８（Ａ）から図９（Ｂ）までは、本実施の形態による携帯電話機を示す図であり、図８（Ａ）は携帯電話機を正面から見た図であり、図８（Ｂ）は携帯電話機において液晶表示部５４が配置された第２の筐体５１ｂを９０度回転させた時の様子を示す図であり、図９（Ａ）は携帯電話機を右側方から見た図であり、図９（Ｂ）は第１の筐体５１ａと第２の筐体５１ｂとを閉じ、ホイップアンテナ５５を収納した状態を右側方から見た図である。
【００４４】
本実施の形態による携帯電話機は、デジタルアナログＴＶ/ラジオチューナを搭載しており、さらに操作部５２等が配置された第１の筐体５１ａと液晶表示部５４等が配置された第２の筐体５１ｂとを、開閉可能及び直交方向に回転可能になるように構成されたヒンジ部５３により接続されている。
【００４５】
またＴＶ/ラジオ受信用のホイップアンテナ５５が第１の筐体５１ａのヒンジ部５３に配置されており、ダイバーシティ受信用の内蔵アンテナ５６が第２の筐体５１ｂに液晶表示部５４の長辺方向と平行になるように配置されている。上記携帯電話機においては、第１の実施の形態と同様の効果を発揮するが、本実施の形態による携帯電話機は折り畳み型であるため、表示画面のサイズを大きくしても、持ち運び時には携帯電話をコンパクトに収納できるという点が優れている。
【００４６】
図３Ｂと図８（Ｂ）とのアンテナの配置の違いは、第２の筐体が９０度回転した時に、２つのアンテナがクロスしない（ある程度距離が保てる）ため、アンテナ間の結合が小さくなり、それぞれのアンテナの特性が若干改善するという利点がある。
【００４７】
次に、本発明の第６の実施の形態による携帯電話機について図面を参照しながら説明を行う。図１０（Ａ）から（Ｃ）までは、本実施の形態による携帯電話機を示す図であり、図１０（Ａ）は、本実施の形態による携帯電話機を正面から見た図であり、図１０（Ｂ）は携帯電話機において液晶表示部６４が配置された第２の筐体６１ｂを９０度回転させた状態を背面から見た図であり、図１０（Ｃ）は棒状アンテナ６６を引出した状態を背面から見た図である。
【００４８】
本実施の形態による携帯電話機の基本的な構成は、第４の実施の形態の場合と同様であり、回転機構部６７に関して矢印ＡＲ１２のように第２の筐体６１ｂが回転する。第４の実施の形態における携帯電話機におけるダイバーシティ受信用の内蔵アンテナ４６を本実施の形態では棒状アンテナ６６に置き換えた構成を有している点が異なる。棒状アンテナ６６は、図１０（Ｃ）に示すように、引出し可能に第２の筐体６１ｂの背面に液晶表示部６４の長辺方向と平行に収納されている。棒状アンテ６６は、収納時には第４の実施の形態における内蔵アンテナ４６とほぼ同等の特性を有することになるが、棒状アンテナ６６を引出した時には、筐体（アンテナのＧＮＤ）から遠ざかるため、アンテナ特性が改善する。すなわち、ダイバーシティの説明の部分において説明したように、アンテナはＧＮＤや金属物と近いと特性が悪くなる。そこで、ＧＮＤから遠ざけるという目的でアンテナを引し出し可能にしている。棒状アンテナ６６の特性が改善することによってさらに通信品質を改善することが可能となる。
【００４９】
次に、本発明の第７の実施の形態による携帯電話機について図面を参照しながら説明を行う。図１１（Ａ）、（Ｂ）、図１２は、本実施の形態による携帯電話機を示す図であり、携帯電話の構成は、第１の実施の形態と後述する１点を除き同じであり、図１１（Ａ）、（Ｂ）、図１２は図１（Ａ）、（Ｂ）、図２にそれぞれ対応する。
【００５０】
本実施の形態による携帯電話機は、第１の実施の形態による携帯電話機における第２の筐体１１ｂに重力センサー１１２を追加した点が異なる。重力センサー１１２が第２の筐体１１ｂにおける重力を検出することによって、重力センサー１１２から送信される信号によって制御部１９は第２の筐体１１ｂが縦長状態であるか横長状態であるかに関する判断をすることができる。切替部１１０は、制御部１９からの制御信号よって、第２の筐体１１ｂが縦長の場合にはホイップ式のアンテナ１５とＴＶラジオチューナ１１１とを接続し、第２の筐体１１ｂが横長の場合には第１の実施の形態と同様に、アンテナ１５とアンテナ１６とを切替える。
【００５１】
上記構成に基づく効果は、第１の実施の形態の場合と同様であるが、本実施の形態による携帯電話機では、図１（Ａ）に示すような第２の筐体１１ｂが縦長の時にはダイバーシティ受信の効果があまり得られないためダイバーシティ受信は実行せずにホイップ式のアンテナ１５のみを使用し、図１１（Ｂ）のように第２の筐体１１ｂが横長になった場合のみダイバーシティ受信を実行するように制御する。尚、本実施の形態では、第２の筐体１１ｂの状態（配置）を判断するために重力センサーを利用する例を示したが、その他の判断手段、例えばメカニカルに位置を判定する手段を利用しても同様の効果が得られることはいうまでもない。
【００５２】
次に、本発明の第８の実施の形態による携帯電話機について図面を参照しながら説明を行う。図１３（Ａ）、（Ｂ）は、本実施の形態による携帯電話機を示す図であり、図１３（Ａ）は本実施の形態による携帯電話機を正面から見た図であり、図１３（Ｂ）は本実施の形態による携帯電話機において液晶表示部が配置された第２の筐体８１ｂを９０度回転させた場合の様子（ＡＲ１３）を示す図である。
【００５３】
本実施の形態による携帯電話機の構成は、一部を除き第１の実施の形態の場合と同じであるが、セルラー用のアンテナ８８を第１の筐体８１ａの上端部に配置し、第１の筐体８１ａの短辺方向と平行に無線ＬＡＮ用メインアンテナ８６が配置され、第２の筐体８１ｂの短辺方向と平行に無線ＬＡＮ用サブアンテナ８５が配置される。上記メインアンテナ８６及びサブアンテナ８５とで、ダイバーシティ受信を行う点が異なる。
【００５４】
尚、上記構成において通信を行う際は、メインアンテナ８６は送受信に使用し、サブアンテナ８５は受信のみに使用する。
【００５５】
上記第１から第７までの実施の形態では、第２の筐体の長辺方向にダイバーシティ受信用のアンテナを配置している。一方、第８の実施の形態では、第２の筐体８１ｂの短辺方向にダイバーシティ受信用のアンテナ８５を配置している。短辺方向におけるアンテナとしては、比較的周波数が高い（波長が短い）アンテナであるため、一例としてＢＴのダイバーシティも利用可能であるが、一般的には無線ＬＡＮのダイバーシティ受信を利用する。またセルラー用のアンテナでダイバーシティをしても良い。セルラー用のアンテナの送信の影響に関しては、アンテナ間のisolationに大きく依存するが、少なからず影響はある。この対策としては、それぞれのアンテナにノッチフィルタ等を使用して影響が出ないようにすることができる。
【００５６】
本実施の形態によれば、第１の実施の形態と同様に、無線ＬＡＮを使用して映像データを受信する場合に図１３（Ｂ）に示すように第２の筐体８１ｂが９０度回転した時に、メインアンテナ８６とサブアンテナ８５におけるそれぞれの電流の流れる方向が直交するため、偏波ダイバーシティが成り立ち、受信感度が改善する。
【００５７】
尚、このアンテナの構成は、第２から第５までの各実施の形態による携帯電話機に適用しても同様な効果が得られる。
【００５８】
次に、本発明の第９の実施の形態による携帯電話機について図面を参照しながら説明を行う。図１４（Ａ）、（Ｂ）及び図１５は、本実施の形態による携帯電話機を示す図であり、図１４（Ａ）は、本実施の形態による携帯電話機を正面から見た図であり、図１４（Ｂ）は本実施の形態による携帯電話機において液晶表示部２４が配置された第２の筐体２１ｂを９０度回転させた様子（ＡＲ１４）を示す図であり、図１５は図１４（Ａ）における内蔵アンテナ２６の棒状形状をメアンダ形状に変更した例を示す図である。
【００５９】
本実施の形態による携帯電話機の構成例は、基本的に第２の実施の形態による携帯電話機と同様であるが、第２の実施の形態におけるホイップアンテナ２５の代わりに、第１の筐体２１ａに第１の筐体の長辺方向と平行になるように内蔵アンテナ９５を配置した点が異なる。得られる効果は第２の実施の形態の場合と同様である。また内蔵アンテナ２６は、偏波面がほぼ同じであれば図１５に示すように、メアンダ形状のアンテナ２６’に変更しても良く、その効果は基本的に変わらない。また内蔵アンテナ９５をメアンダ形状にしても同様である。
【００６０】
以上に説明したように、本実施の形態による形態電話機においては、ダイバーシティ受信を形成する２つのアンテナの偏波が直交する例について説明したが、実際には垂直から多少ずれた状態においても、偏波ダイバーシティの効果を得ることができる。
【００６１】
また、以上の実施の形態中には、第２の筐体を横長状態にした時に、厳密にいうとダイバーシティ受信を行う２つのアンテナの長軸方向が直交しないものもあるが、図３（Ｂ）や図５（Ｃ）のような角度から見たときに直交しているように見えていれば、ダイバーシティ受信を行う２つのアンテナの偏波はほぼ直交していることになるため、偏波ダイバーシティの効果を得ることができる。
【００６２】
以上のように、本実施の形態による携帯電話機は、携帯電話機の状態によって空間ダイバーシティ、偏波ダイバーシティ或いは指向性ダイバーシティの少なくとも２種類のダイバーシティ効果を得ることができるため、テレビ受信部などのシステムの受信感度を向上することができるという効果がある。尚、上記の例では、携帯電話機を例にして説明したが、その他、携帯端末やノート型ＰＣなど、通信機能を備えた携帯テレビなどの家電機器にも応用可能である。
【産業上の利用可能性】
【００６３】
本発明は、テレビ放送等の表示機能を有する携帯電話機に利用可能である。
【図面の簡単な説明】
【００６４】
【図１】本発明の第１の実施の形態による携帯電話機を示す図であり、図１（Ａ）は、携帯電話機を正面から見た図であり、図１（Ｂ）は携帯電話において液晶部が配置された第２の筐体１１ｂを９０度回転させた時の様子を示す図である。
【図２】図１におけるダーバーシティ受信の詳細を示したブロック図である。
【図３Ａ】図３Ａ（Ａ）〜（Ｃ）までは、本発明の第２の実施の形態による携帯電話機の様子を示す図であり、（Ａ）は携帯電話機を正面から見た図であり、（Ｂ）は携帯電話機において液晶表示部２４が配置された第２の筐体１１ｂを９０度回転させた様子を示す図であり、（Ｃ）は携帯電話機において液晶表示部２４が配置された第２の筐体１１ｂを（Ａ）に示す基準位置から１８０度だけ回転させた様子を示す図である。
【図３Ｂ】図３Ａにそれぞれ対応する図であり、図３Ｂは、図３Ａとは異なるアンテナの配置例を示す図である。
【図４】図４（Ａ）から（Ｃ）までは、本発明の第３の実施の形態による携帯電話機の構成を示す図であり、図４（Ａ）は携帯電話機を正面から見た図であり、図４（Ｂ）は携帯電話機において液晶表示部が配置された第２の筐体３１ｂを９０度回転させた時の様子を示す図であり、図４（Ｃ）は、携帯電話機を後方から見た様子を示す図である。
【図５】図５（Ａ）は、携帯電話機を右側方から見た様子を示す図であり、図５（Ｂ）は第１の筐体３１ａと第２の筐体３１ｂとを閉じて、ホイップアンテナを収納した状態を右側方から見た図であり、図５（Ｃ）は第１の筐体３１ａの長手方向の水平線と第２の筐体３１ｂの長手方向の水平線が交わる角度が１２０度になるように携帯電話を開いた状態を右側方から見た様子を示す図である。
【図６Ａ】図６Ａ（Ａ）、（Ｂ）は、本発明の第４の実施の形態による携帯電話機を示す図であり、（Ａ）は携帯電話機を正面から見た図であり、（Ｂ）は（Ａ）の状態から第２の筐体４１ｂを９０度回転させた状態を示す図である。
【図６Ｂ】図６Ｂは図６Ａに対応する図であり、図６Ｂ（Ｂ）に示すように、第２の筐体４１ｂを９０度回転させた場合に、第１の筐体４１ａに対して左右が非対称、特に内蔵アンテナ４６とホイップアンテナ４５との距離が離れるようになるように左右非対称に構成している。
【図７】図７（Ａ）〜（Ｃ）は、本実施の形態による携帯電話機を示す図であり、図６Ａ（Ａ）から図６Ａ（Ｂ）に移行する様子を背面から見た図である。
【図８】図８（Ａ）、（Ｂ）は、本発明の第５の実施の形態による携帯電話機を示す図であり、図８（Ａ）は携帯電話機を正面から見た図であり、図８（Ｂ）は携帯電話機において液晶表示部５４が配置された第２の筐体５１ｂを９０度回転させた時の様子を示す図である。
【図９】本実施の形態による携帯電話機を示す図であり、図９（Ａ）は携帯電話機を右側方から見た図であり、図９（Ｂ）は第１の筐体５１ａと第２の筐体５１ｂとを閉じ、ホイップアンテナ５５を収納した状態を右側方から見た図である。
【図１０】図１０（Ａ）から（Ｃ）までは、本発明の第６の実施の形態による携帯電話機を示す図であり、図１０（Ａ）は、本実施の形態による携帯電話機を正面から見た図であり、図１０（Ｂ）は携帯電話機において液晶表示部６４が配置された第２の筐体６１ｂを９０度回転させた状態を背面から見た図であり、図１０（Ｃ）は棒状アンテナ６６を引出した状態を背面から見た図である。
【図１１】図１１（Ａ）、（Ｂ）は、本発明の第７の実施の形態による携帯電話機を示す図であり、携帯電話の構成は、図１（Ａ）、（Ｂ）に対応する図である。
【図１２】図１１におけるダーバーシティ受信の詳細を示したブロック図であり、図２に対応する図である。
【図１３】図１３（Ａ）、（Ｂ）は、本発明の第８の実施の形態による携帯電話機を示す図であり、図１３（Ａ）は本実施の形態による携帯電話機を正面から見た図であり、図１３（Ｂ）は本実施の形態による携帯電話機において液晶表示部が配置された第２の筐体８１ｂを９０度回転させた場合の様子を示す図である。
【図１４】本発明の第９の実施の形態による携帯電話機を示す図であり、図１４（Ａ）は、本実施の形態による携帯電話機を正面から見た図であり、図１４（Ｂ）は本実施の形態による携帯電話機において液晶表示部２４が配置された第２の筐体１１ｂを９０度回転させた様子を示す図である。
【図１５】図１４（Ａ）における内蔵アンテナ２６の棒状形状をメアンダ形状に変更した例を示す図である。
【符号の説明】
【００６５】
11a、21a、31a、41a、51a、61a、81a：  第１の筐体
11b、21b、31b、41b、51b、61b、81b：  第２の筐体
11c、31c、41c：  第3の筐体
12、22、32、42、52、62、82：  操作部
14、24、34、44、54、64、84：  液晶部
15、25、35、45、55、65：ホイップアンテナ
16、26、36、46、56、95：  内蔵アンテナ
85：サブアンテナ
86：メインアンテナ
66：棒状アンテナ
19：制御部
110：切替部
111：ＴＶ/ラジオチューナ
112：重力センサー
18、88：セルラー用アンテナ
【図１】
0004624302.tif 000002
【図２】
0004624302.tif 000003
【図３Ａ】
0004624302.tif 000004
【図３Ｂ】
0004624302.tif 000005
【図４】
0004624302.tif 000006
【図５】
0004624302.tif 000007
【図６Ａ】
0004624302.tif 000008
【図６Ｂ】
0004624302.tif 000009
【図７】
0004624302.tif 000010
【図８】
0004624302.tif 000011
【図９】
0004624302.tif 000012
【図１０】
0004624302.tif 000013
【図１１】
0004624302.tif 000014
【図１２】
0004624302.tif 000015
【図１３】
0004624302.tif 000016
【図１４】
0004624302.tif 000017
【図１５】
0004624302.tif 000018